(57)【要約】      （修正有）【課題】寒冷地における屋外設置の給湯器や給水栓等と接続されている管路には、発泡スチロールなどの断熱材で被覆した断熱処理が施されており、この断熱管路の表面（断熱材の表面）を保護する施工性・変形耐久性に優れた新規な保護カバーを提供する。【解決手段】装着対象の断熱管路の外周面に対応する半円端面で、適宜な長さの一対を組み合わせて円形端面となるカバー部材１，２で構成されるものであって、前記カバー部材１，２が所定の厚さの薄金属板で形成され、一方のカバー部材１における接続端部１２に、他方接続端部２１の内周面に当接する段差面部１３を設けると共に、当該段差面部１３の外面に接着部１４ａを設けてなる。【選択図】図１
0003208234.tif 000002
【実用新案登録請求の範囲】
【請求項１】
装着対象の断熱管路の外周面に対応する半円端面で、適宜な長さの一対を組み合わせて円形端面となるカバー部材で構成されるものであって、前記カバー部材が所定の厚さの薄金属板で形成され、一方のカバー部材における接続端部に、他方接続端部の内周面に当接する段差面部を設けると共に、当該段差面部の外面に接着部を設けてなることを特徴とする断熱管路の保護カバー。
【請求項２】
段差面部が、細板部材を一方の半円端面のカバー部材本体の接続端部の内周面に連結固定して形成してなる請求項１記載の断熱管路の保護カバー。
【請求項３】
段差面部が、カバー部材の接続端部の延長突出部で形成される請求項１記載の断熱管路の保護カバー。
【請求項４】
接着部が、粘着層の上面に保護剥離紙を設けて形成してなる請求項１乃至３記載の何れかの断熱管路の保護カバー。
【請求項５】
カバー部材がステンレス薄板で構成されている請求項１乃至４記載の何れかの断熱管路の保護カバー。
【請求項６】
給水管に断熱材となる硬質紙管を装着した外周面に請求項１乃至５記載の何れかの保護カバーを装着して形成したことを特徴とする断熱管路。
【考案の詳細な説明】
【技術分野】
【０００１】
本考案は、断熱保温部材を装着している屋外水道配管等の断熱管路に使用する保護カバーに関するものである。
【背景技術】
【０００２】
寒冷地において、屋外設置の給湯器や給水栓等と接続されている管路には、断熱対策が施されている。断熱対策として一般的なのは、発泡スチロールなどの断熱材で被覆するもので、更に断熱材の表面を保護するために保護カバーが採用されている。
【０００３】
例えば特許文献１（登録実用新案３１５２７４９号公報）には、原紙にアルミガラスクロスを接着した積層構造からなり、重ね合わせ部分の原紙側とアルミガラスクロス表面に化学反応形接着剤を塗布したものが示されている。
【０００４】
また特許文献２（登録実用新案３１５４３９６号公報）には、長方形状のステンレスなどの薄い長方形状の耐食性金属板を巻き付け、結束バンドで固定する手段が示されている。
【０００５】
更に特許文献３（登録実用新案３２０３９４１号公報）には、断熱管路の管路外径よりも小径のロール状の細長ステンレス薄板で構成した保護カバーが示されており、この保護カバーはロー状部分を拡げて断熱管路に被せ、弾性反発で断熱管路に巻き付かせて装着するものである。
【先行技術文献】
【特許文献】
【０００６】
【特許文献１】登録実用新案３１５２７４９号公報。
【特許文献２】登録実用新案３１５４３９６号公報。
【特許文献３】登録実用新案３２０３９４１号公報。
【考案の概要】
【考案が解決しようとする課題】
【０００７】
特許文献１に示されているように柔軟性を備えている保護カバーは、装着対象の断熱管路に対しての確りと巻き付け、巻き付け状態を保持しながら、カバー端部箇所で接着しなければならない。而も堅牢性・耐久性に課題がある。
【０００８】
また特許文献２のように薄金属平板の外装材を採用すると、耐久性の課題は解決できるが、装着に際しては、断熱管路の表面に合わせて湾曲させ当該湾曲反発弾性を抑えた状態で、結束バンドを使用して固着する必要があり、装着作業が煩瑣であると共に、結束バンドの損傷（経年変化、外部から衝撃等）によって保護カバーが外れてしまう虞もある。
【０００９】
特許文献３記載の保護カバーは、特許文献２記載の保護カバーと同様に、装着時における薄金属板の変形性を必要とするので、当然金属板の板厚が薄いものを採用しなければならない。このため外部からの衝撃（棒での打撃のような悪戯、屋外作業時の物品の衝突の原因による）に対して直ぐに変形してしまう。
【００１０】
そこで本発明は、堅牢性・変形耐久性に優れるとともに、装着作業が容易となる新規な断熱管路及びその保護カバーを提案したものである。
【課題を解決するための手段】
【００１１】
本考案に係る断熱管路の保護カバーは、装着対象の断熱管路の外周面に対応する半円端面で、適宜な長さの一対を組み合わせて円形端面となるカバー部材で構成されるものであって、前記カバー部材が所定の厚さの薄金属板（十分な変形耐久性を備える厚さのステンレス板やアルミ板）で形成され、一方のカバー部材における接続端部に、他方接続端部の内周面に当接する段差面部を設けると共に、当該段差面部の外面に接着部を設けてなることを特徴とするものである。
【００１２】
而して前記カバーは、段差面部を備えたカバー部材を装着対象の断熱管路の管路外周面に被せ、他方のカバー部材を反対側から被せ、段差面部外面の接着部で他方カバー部材の接続端部の内周面を接着すると、断熱管路に保護カバーが装着される。
【００１３】
また本考案に係る断熱管路は、給水管に断熱材となる紙管を装着した外周面に前記の保護カバーを装着して形成したもので、堅牢な外装材と合わせて断熱材となる紙管も堅牢性を備えているので、外部衝撃に対する耐久力が優れた断熱管路が形成される。
【考案の効果】
【００１４】
本考案の構成は上記のとおりで、充分な厚さを備えて変形耐久性を有する金属板で形成することで堅牢性を備えると共に、断熱管路への装着が容易である保護カバーを提供でき、前記保護カバーと共に断熱材に紙管を採用することで、より堅牢な断熱管路を構築できる。
【図面の簡単な説明】
【００１５】
【図１】本考案の断熱管路の実施例の説明図。
【図２】同保護カバーの別例（第二実施例）の説明図。
【図３】同第三実施例の説明図。
【考案を実施するための形態】
【００１６】
次に本考案の実施形態について説明する。実施形態に示した断熱管路は、屋外設置の給湯器や給水栓等と接続されている管路（水道管）Ａに、内径が前記管路と一致する適宜厚さの硬質紙管Ｂの外周面に保護カバーを装着して形成するものである。
【００１７】
この保護カバーは、一対のカバー部材１，２で構成され、前記断熱材Ｂの外面に装着して、断熱材の損傷等を防止するものである。
【００１８】
保護カバーの実施例（第一実施例）は図１に示しており、一方のカバー部材１の本体１１及び他方のカバー部材は、管路Ａの外周面に対応する半円端面で、これを組み合わせると断熱材Ｂの外周面と一致する円形端面となるもので、十分な変形耐久性を備える厚さ（０．６〜１．２ｍｍ）のステンレス薄板で形成される。
【００１９】
特に一方のカバー部材１は、半円形端面の本体１１の接続端部１２に段差面部１３を設けたものである。この段差面部１３は、他方カバー部材２の接続端部２１の内周面に当接するように、細板体を本体１１の接続端部１２の内周面に固着（接着又は溶着）して形成したものである。
【００２０】
尚前記の半円形端面のカバー部材１の本体１１及び他方のカバー部材２は、既存品であるステンレス筒体（縦樋として市場に流通している）を縦に分割に形成することで容易に製出できる。
【００２１】
また段差面部１３の外面には接着部１４を設けたもので、接着部１４は粘着層１４１の上に保護剥離紙１４２を設けて形成したものである。
【００２２】
断熱管路への装着は、断熱材Ｂの外周面にカバー部材１を被せ、被せた後に保護剥離紙１４２を剥離して粘着層１４１を露出させ、他方のカバー部材２を露出している断熱材Ｂを被せ、重なった段差面部１３とカバー部材の接続端部２１とを接着部（粘着層）１４を介在させて接着固定してなされるものである。
【００２３】
従って断熱管路の表面は相応の厚さを備えた金属板で覆われることになり、多少の外部衝撃に対しても十分な変形耐久力を備えることになる。
【００２４】
図２は第二実施例を示すもので、第二実施例に示したカバー部材１ａは、段差面部１３ａの形成しに細板体を採用せずに、本体１１ａの接続端部１２の延長突出部で形成したもので、プレス加工で形成することができ製造が容易である。
【００２５】
また前記の段差面部１３ａの外面に接着部１４ａを設けても良いが、他方のカバー部材２ａの接続端部２１ａの内面に接着部２２を設けても良い。
【００２６】
図３は第三実施例で、本考案は必ずしも直管カバーに限定されるものではなく、エルボ形状の管路においても、形成される保護カバーを縦分割した本体１１ｂを備えた一方のカバー部材１ｂと他方のカバー部材２ｂを採用し、一方のカバー部材１ｂに段差面部１３ｂ及び接着部１４ｂを設けることで、エルボ管路に対しても本考案を適用できるものである。
【００２７】
尚断熱管路の例として断熱材に硬質紙管を採用した例を示したが、本考案の保護カバーは発泡スチロール等の他の断熱材を採用した管路にも適用であるものであり、また薄金属板として前記のステン薄板以外にもアルミ板を採用しても良い。
【符号の説明】
【００２８】
１，１ａ，１ｂ，２，２ａ，２ｂ    カバー部材
１１，１１ａ，１１ｂ    本体
１２      接続端部
１３，１３ａ，１３ｂ    段差面部
１４，１４ａ，１４ｂ    接着部
１４１      粘着層
１４２      保護剥離紙
２１，２１ａ      接続端部
２２      接着部
Ａ      管路（水道管）
Ｂ      断熱材（硬質紙管）
【図１】
0003208234.tif 000003
【図２】
0003208234.tif 000004
【図３】
0003208234.tif 000005